(57)【要約】      （修正有）【課題】脈間隔変動があったり、脈圧が小さい被測定者であっても、短い測定時間で正確に血圧値を測定することが可能な電子血圧計を提供することを目的とする。【解決手段】カフ内の圧力を検出する圧力検出手段と、今回の測定時に圧力検出手段で検出された圧力データに基づいて脈波を検出する脈波検出手段３１と、脈波検出手段による検出データに基づいて脈拍数を算出する脈拍数算出手段３５と、脈波検出手段による検出データ及び脈拍数算出手段によって算出された脈拍数に基づいて目標加圧速度を決定する目標加圧速度決定手段４２と、決定された目標加圧速度を次回の測定に利用するために被測定者毎に記憶する記憶手段４３を有する。【選択図】図３
2013202176.tif 000002
【特許請求の範囲】
【請求項１】
カフ内の圧力を検出する圧力検出手段と、
今回の測定時に前記圧力検出手段で検出された圧力データに基づいて、脈波を検出する脈波検出手段と、
前記脈波検出手段による検出データに基づいて、脈拍数を算出する脈拍数算出手段と、
前記脈波検出手段による検出データ及び前記脈拍数算出手段によって算出された脈拍数に基づいて、目標加圧速度を決定する目標加圧速度決定手段と、
決定された目標加圧速度を次回の測定に利用するために、被測定者毎に記憶する記憶手段と、
を有することを特徴とする電子血圧計。
【請求項２】
前記脈波検出手段が出力する検出データは脈波開始圧力と検出脈波数である、請求項１に記載の電子血圧計。
【請求項３】
前記検出脈波数が所定値未満の場合に、再測定を指示する判定手段を更に有する請求項２に記載の電子血圧計。
【請求項４】
目標加圧速度決定手段は、前記決定された目標加圧速度が上限値より大きい場合には目標加圧速度を当該上限値に設定し、前記決定された目標加圧速度が下限値未満の場合には目標加圧速度を当該下限値に設定する、請求項１〜３の何れか一項に記載の電子血圧計。
【請求項５】
目標加圧速度決定手段は、前記決定された目標加圧速度が、今回の測定に利用された加圧速度より予め定められた閾値より大きい場合には、目標加圧速度に所定値を設定する、請求項１〜３の何れか一項に記載の電子血圧計。
【発明の詳細な説明】
【技術分野】
【０００１】
本発明は電子血圧計に関し、特に被測定者の被測定部位にカフを固定して血圧を自動測定する電子血圧計に関する。
【背景技術】
【０００２】
被測定部位に取り付けられたカフを加圧し、最高血圧値が測定できたと判断するまでの加圧過程において、被測定者の心拍に同期して動脈から発生する脈波に基づいて被測定者の血圧を測定する電子血圧計が知られている（例えば、特許文献１参照）。
【０００３】
上記の電子血圧計では、更に、最低血圧値を正確に測定するために、低圧側ではゆっくりとした加圧速度でカフを加圧し、高圧側では加圧速度を早くして、トータルの測定時間を短くするように加圧制御がなされている。また、減圧過程での測定が不要であるので、減圧過程で測定を行う方式の電子血圧計に比べて、測定時間をより早くすることができる。
【０００４】
しかしながら、上記の電子血圧計では、脈間隔の変動がある場合又は脈圧が小さい場合には、血圧値の測定精度の悪化、又は血圧値を決定することができない場合があるという不具合があった。なお、脈間隔の変動が生じる場合としては、期外収縮等の不整脈があった場合、脈が小さくて検出できなかった場合、被測定部位（手首又は上腕部等）が動いたことによる圧力変化を脈と誤検知した場合等が考えられる。
【先行技術文献】
【特許文献】
【０００５】
【特許文献１】特開平１０−３１４１３２号公報
【発明の概要】
【発明が解決しようとする課題】
【０００６】
本発明は、上記の課題を解決することを可能とする電子血圧計を提供することを目的とする。
【０００７】
また、本発明は、脈間隔の変動がある場合又は脈圧が小さい場合であっても、短い測定時間で正確に血圧値を測定することが可能な電子血圧計を提供することを目的とする。
【課題を解決するための手段】
【０００８】
本発明に係る電子血圧計は、カフ内の圧力を検出する圧力検出手段と、今回の測定時に前記圧力検出手段で検出された圧力データに基づいて脈波を検出する脈波検出手段と、脈波検出手段による検出データに基づいて脈拍数を算出する脈拍数算出手段と、脈波検出手段による検出データ及び前記脈拍数算出手段によって算出された脈拍数に基づいて目標加圧速度を決定する目標加圧速度決定手段と、決定された目標加圧速度を次回の測定に利用するために被測定者毎に記憶する記憶手段を有することを特徴とする。
【０００９】
さらに、本発明に係る電子血圧計では、脈波検出手段が出力する検出データは脈波開始圧力と検出脈波数であることが好ましい。
【００１０】
さらに、本発明に係る電子血圧計では、検出脈波数が所定値未満の場合に、再測定を指示する判定手段を更に有することが好ましい。
【００１１】
さらに、本発明に係る電子血圧計では、目標加圧速度決定手段は、決定された目標加圧速度が上限値より大きい場合には目標加圧速度を当該上限値に設定し、決定された目標加圧速度が下限値未満の場合には目標加圧速度を当該下限値に設定することが好ましい。
【００１２】
さらに、本発明に係る電子血圧計では、目標加圧速度決定手段は、決定された目標加圧速度が、今回の測定に利用された加圧速度より予め定められた閾値より大きい場合には、目標加圧速度に所定値を設定することが好ましい。
【発明の効果】
【００１３】
本発明に係る電子血圧計では、脈拍の欠損又は脈圧が小さい被測定者であっても、短い測定時間で正確に血圧値を測定することが可能となった。
【図面の簡単な説明】
【００１４】
【図１】本発明に係る電子血圧計の一例を示す斜視図である。
【図２】図１に示す電子血圧計１０の構成を示す概略ブロック図である。
【図３】目標加圧速度設定手段４０の構成を示す概略ブロック図である。
【図４】血圧測定の全体処理フローの一例を示す図である。
【図５】圧力検出手段２３が検出する圧力データの一例を示す図である。
【図６】脈拍数算出手段３５における脈拍数算出手順の一例を示す図である。
【図７】目標加圧速度設定手段４０が目標加圧速度を設定するフローの一例を示す図である。
【図８】目標加圧速度設定手段４０が目標加圧速度を設定するフローの他の例を示す図である。
【発明を実施するための形態】
【００１５】
以下図面を参照して、電子血圧計について説明する。しかしながら、本発明が、図面又は以下に記載される実施形態に限定されるものではないことを理解されたい。
【００１６】
図１は、本発明に係る電子血圧計の一例を示す斜視図である。
【００１７】
電子血圧計１０は、血圧計本体２０及びカフ５０から構成される。カフ５０には、不図示の空気袋が内蔵され、所定のベルトによって被測定者の被測定部（例えば、手首又は上腕部）に固定される。図１では、手首に装着するタイプの電子血圧計を示しているが、それに限定されるものではない。また、血圧計本体２０には、少なくとも、最大血圧値及び最低血圧値を表示するための液晶表示パネル等から構成される表示手段２１、測定の開始／停止を指示するためのスイッチ２２−１及び被測定者を選択するための選択スイッチ２２−２を含む操作手段２２を有している。
【００１８】
図２は、図１に示す電子血圧計１０の構成を示す概略ブロック図である。
【００１９】
血圧計本体２０は、前述した表示手段２１及び操作手段２２、カフ５０内の圧力を計測するセンサを含む圧力検出手段２３、カフ５０に空気を送り込むことによってその内部の圧力を加圧するモータ式のポンプを含む加圧手段２４、カフ５０内の空気を排気する排気弁を含む急速排気手段２５、カフ５０と圧力検出手段２３、加圧手段２４及び急速排気手段２５とを接続するチューブ２６、及び制御部３０等から構成されている。
【００２０】
制御部３０は、圧力検出手段２３の圧力データから被測定者の脈波等を検出する脈波検出手段３１、加圧手段２４の加圧速度を制御する加圧制御手段３２、急速排気手段２５を制御する排気制御手段３３、表示手段２１の表示制御を行う表示制御手段３４、脈波検出手段３１からの検出データに基づいて脈拍数を算出する脈拍数算出手段３５、脈波検出手段３１からの検出データに基づいて血圧値を決定する血圧値決定手段３６、脈波数に基づく判定を行う脈拍数判定手段３７、及び、後述する目標加圧速度設定手段４０等を含んでいる。
【００２１】
制御部３０は、ＣＰＵ、ＲＡＭ及びＲＯＭ等を含んだ制御回路として構成されており、上述した脈波検出手段３１、加圧制御手段３２、排気制御手段３３、表示制御手段３４、脈拍数算出手段３５、血圧値決定手段３６、脈拍数判定手段３７、及び、目標加圧速度設定手段４０は、ＲＯＭ等に予め記憶された所定の機能を果たすソフトウエアモジュールとして構成されている。しかしながら、脈波検出手段３１、加圧制御手段３２、排気制御手段３３、表示制御手段３４、脈拍数算出手段３５、血圧値決定手段３６、脈拍数判定手段３７、及び、目標加圧速度設定手段４０を、所定のハードウエアのみから構成しても良いし、ハードウエア及びソフトウエアから構成するようにしても良い。
【００２２】
図３は、目標加圧速度設定手段４０の構成を示す概略ブロック図である。
【００２３】
目標加圧速度設定手段４０は、脈波検出手段３１が検出する検出データを記憶する検出データ記憶手段４１、検出データ記憶手段４１が記憶する検出データ及び脈拍数算出手段３５が算出する脈拍数等に基づいて目標加圧速度を決定する目標加圧速度決定手段４２、目標加圧速度決定手段４２で決定された目標加圧速度を記憶する目標加圧速度記憶手段４３、操作手段２２に含まれるスイッチが長押しされたことを判定するスイッチ長押し判定手段４４、及び、スイッチ長押し判定手段４４が長押しを判定した場合に、目標加圧速度を初期化する目標加圧速度初期化手段４５等を含んでいる。
【００２４】
上述した検出データ記憶手段４１、目標加圧速度決定手段４２、目標加圧速度記憶手段４３、スイッチ長押し判定手段４４、及び、目標加圧速度初期化手段４５は、制御部３０のＲＯＭ等に予め記憶された所定の機能を果たすソフトウエアモジュールとして構成されている。しかしながら、検出データ記憶手段４１、目標加圧速度決定手段４２、目標加圧速度記憶手段４３、スイッチ長押し判定手段４４、及び、目標加圧速度初期化手段４５は、所定のハードウエアのみから構成しても良いし、ハードウエア及びソフトウエアから構成するようにしても良い。
【００２５】
図４は、血圧測定の全体処理フローの一例を示す図である。図４に示す処理フローは、制御部３０のＲＯＭに予め記録されているプログラムに従って、制御部３０のＣＰＵが主に実行する。
【００２６】
血圧測定に際して、被測定者は、カフ５０を手首に装着し、スイッチ２２−２を用いて、被測定者を選択した上で、スイッチ２２−１を用いて、測定開始を指示する。
【００２７】
最初に、目標加圧速度設定手段４０は、選択された被測定者の目標加圧速度（Ｖｒｅｆｎｅｘｔ  ｍｍＨｇ／ｓｅｃ）を、今回、加圧制御手段３２を制御するための目標加圧速度（Ｖｒｅｆ  ｍｍＨｇ／ｓｅｃ）として設定する（Ｓ１０）。
【００２８】
次に、排気制御手段３３が、急速排気手段２５の排気弁をクローズして、カフ５０を加圧できる状態とする（Ｓ１１）。
【００２９】
次に、加圧制御手段３２によって加圧手段２４を制御し、カフ５０内に空気を送り込むことによって、カフ５０内の加圧を開始する（Ｓ１２）。
【００３０】
次に、目標加圧速度設定手段４０のスイッチ長押し判定部４４が、スイッチ２２−１が長押しされているかの判定を行う（Ｓ１３）。長押し（例えば、連続２秒間の押圧）されていれば、Ｖｒｅｆに、加圧速度の初期値（Ｖｒｅｆｉｎｔ  ｍｍＨｇ／ｓｅｃ）を設定する（Ｓ１４）。長押しがされていない場合には、そのまま次のステップ１５へ進む。
【００３１】
本フローでは、設定を初期化したい場合の指示方法として、スイッチ２２−１が長押しされている場合を選択しているが、他の方法、スイッチ２２−１及び２２−２を同時に押圧する等を、設定を初期化したい場合の指示方法としても良い。なお、設定を初期化するか否かの判断ステップは、ステップ１１の前等に実行されるようにしても良い。
【００３２】
次に、加圧制御手段３２は、加圧速度が目標加圧速度Ｖｒｅｆに等しくなるように加圧手段２４を制御する（Ｓ１５）。血圧値決定手段３６は、脈波検出手段３１からの検出データに基づいて血圧の測定を実施する（Ｓ１６）。血圧測定が終了するまで、ステップ１５及びステップ１６が繰り返される（Ｓ１７）。なお、血圧値の測定について後述する。
【００３３】
血圧測定が終了すると、加圧制御手段３２が、加圧手段２４を制御してカフ５０内への加圧を終了し（Ｓ１８）、排気制御手段３３が、急速排気手段２５の排気弁をオープンして、カフ５０内の空気を急速排気する（Ｓ１９）。
【００３４】
次に、脈拍数算出手段３５が、脈波検出手段３１からの検出データに基づいて、脈拍数を算出する（Ｓ２０）。脈拍数の算出については、図６を用いて、詳しく説明する。
【００３５】
次に、目標加圧速度設定手段４０は、脈波検出手段３１からの検出データ、及び脈拍数算出手段３５が算出した脈拍数等に基づいて、当該被測定者の次回の目標加圧速度を決定し、Ｖｒｅｆｎｅｘｔとして記憶する（Ｓ２１）。次回の目標加圧速度の決定については、図７及び８を用いて説明する。
【００３６】
次に、脈波数判定手段３７は、脈波検出手段３１が検出した検出脈波数Ｎが、予め定められた所定数（Ｎｐ）未満であるか否かの判断を行い（Ｓ２２）、Ｎｐ未満の場合には、再測定を実施する。Ｎｐは、血圧測定の精度を担保するのに必要な検出脈波数であって、血圧測定の方式等によって異なるが、例えば、６回と設定することが可能である。
【００３７】
検出脈波数ＮがＮｐ以上の場合には、予め定められた精度以上で、血圧値（少なくとも、最高血圧値及び最低血圧値）が測定できたものと見なし、表示制御手段３４は、表示手段２１を制御して測定結果を表示し（Ｓ２３）、一連のフローを終了する。
【００３８】
図４に示す処理フローに従って、一度測定を行った被測定者に合った、目標加圧速度（Ｖｒｅｆｎｅｘｔ）が決定及び記憶されるので、次に同じ被測定者が測定を行った場合には、最適且つ最短で血圧測定を行うことが可能となる。上記の処理フローは、電子血圧計は所定グループの被測定者の測定に定常的に利用される場合が多い、との前提に立って考慮されたものである。したがって、被測定者毎の目標加圧速度（Ｖｒｅｆｎｅｘｔ）は、通常であれば、４名程度分記録できるようにしておけば良い。しかしながら、更に多くの被測定者グループで１つの電子血圧計を相互に利用する場合には、所定のメモリを設けて、記憶容量を増加させることが可能である。
【００３９】
図５は、圧力検出手段２３が検出する圧力データの一例を示す図である。
【００４０】
図５において、加圧曲線６０は、加圧速度が速い場合を示し、加圧曲線７０は、加圧速度が遅い場合を示している。加圧曲線６０における点Ｐ１〜Ｐ８は、検出された各脈波の脈波開始圧力を示している。同様に、加圧曲線７０における点Ｑ１〜Ｑ１３は、検出された各脈波の脈波開始圧力を示している。
【００４１】
図中、Ｒは、加圧終了圧力を示しており、図４の処理フローのステップ１７では、加圧制御手段３３は、圧力検出手段２３が検出する圧力データが、加圧終了圧力Ｒとなった場合に、血圧測定を終了するように制御がなされている。加圧曲線６０では、加圧終了圧力Ｒに到達する前に、脈波検出手段３１は、８回の脈波を検出し、加圧曲線７０では、１３回の脈波を検出している。加圧終了圧力Ｒは、決定された最高血圧値に応じて設定され、例えば、最高血圧値＋４０ｍｍＨｇに設定することができるが、他の値としても良い。
【００４２】
血圧値決定手段３６は、図５に示す様な圧力データに基づく、脈波検出手段３１の検出データ（検出された各脈波の開始圧力値及びその測定時間）に基づいて、オシロメトリック法を利用して、最大血圧値及び最小血圧値を決定して、表示手段２１に表示するようにしている。ここでは、脈波検出手段３１が６回以上の脈波を検出できれば、所定の精度で、最大血圧値及び最小血圧値を決定できるものとして、図４の処理フローのステップＳ２２におけるＮｐを６に設定している。
【００４３】
図６は、脈拍数算出手段３５における脈拍数算出フローの一例を示す図である。図６に示すフローは、図４に示すフローのステップＳ２０における処理を詳細に説明するものである。
【００４４】
最初に、脈拍数算出手段３５は、脈波検出手段３１の検出データ（検出された各脈波の開始圧力値及びその測定時間）に基づいて、検出脈波数Ｎ及び脈間隔Ｔｉを取得する（Ｓ３０）。図５において、加圧曲線６０における脈間隔Ｔ１〜Ｔ７を示す。加圧曲線６０の場合、検出脈波数Ｎは８である。
【００４５】
次に、脈拍数算出手段３５は、平均脈波間隔Ｔｍを、ステップＳ３０で取得したＴｉから算出し（Ｓ３１）、Ｓ＝０、ｊ＝０及びｉ＝０と設定する（Ｓ３２）。ここで、Ｓは、脈間隔の合計値に相当する。
【００４６】
次に、脈拍数算出手段３５は、ＴｉとＴｍの差分の絶対値が、Ｔｍに係数β（０＜β＜１）を乗じた値β・Ｔｍ以下か否かの判断を行う（Ｓ３３）。ステップＳ３３の判断は、脈間隔Ｔｉが、平均脈間隔Ｔｍより著しく異なった場合には、不整脈や誤検知によるものと判断して、脈拍数の算出から除くためのものである。
【００４７】
脈拍数算出手段３５は、ＴｉとＴｍの差分の絶対値が、値β・Ｔｍ以下の場合には、正常範囲と見なして、ＳをＳ＋Ｔｉで置き換え、ｊをｊ＋１で置き換えるようにする（Ｓ３４）。ＴｉとＴｍの差分の絶対値が、値β・Ｔｍより大きい場合には、Ｔｉを異常値と見なして、Ｓに加えず、次のステップに進む。
【００４８】
次に、脈拍数算出手段３５は、ｉをｉ＋１で置き換え（Ｓ３５）、置き換えられたｉが、（Ｎ−１）以下か否かの判断を行い（Ｓ３６）、そうでない場合には、ステップ３２へ戻るようにする。即ち、ステップＳ３２〜ステップＳ３６では、ステップＳ３０で検出された検出脈波数Ｎに対応する全ての脈間隔が、それぞれ正常範囲内か否かの判断を行い、正常範囲と見なされた脈間隔の全てを合算している。
【００４９】
最後に、脈拍数算出手段３５は、以下の式（１）にしたがって、脈拍数Ｂを求める（Ｓ３７）。
Ｂ  ＝  ６０・ｊ／Ｓ      （１）
ここで、ｊは、正常範囲と見なされた脈間隔の数を表し、Ｓは、正常範囲と見なされた脈間隔の全てを合算した値を表している。
【００５０】
なお、図６に示す脈拍数の算出方法は一例であって、脈拍数Ｂと検出脈波数Ｎを出力することができれば、他の算出方法を採用することも可能である。
【００５１】
図７は、目標加圧速度設定手段４０が目標加圧速度を設定するフローの一例を示す図である。図７に示すフローは、図４に示すフローのステップＳ２１における処理を詳細に説明するものである。
【００５２】
最初に、検出データ記憶手段４１が、脈波検出手段３１からの検出データに基づいて、最後に検出した脈波の脈波開始圧力Ｐｍａｘ（図５に示す加圧曲線６０ではＰ８に対応した圧力）、最初に検出した脈波の脈波開始圧力Ｐｍｉｎ（図５に示す加圧曲線６０ではＰ１に対応した圧力）を取得して記憶する。また、目標加圧速度決定手段４２が、脈拍数算出手段３５より、図６のフローに基づいて求めた脈拍数Ｂを取得する（Ｓ４０）。
【００５３】
次に、目標加圧速度決定手段４２は、ステップＳ４０で取得した、Ｐｍａｘ、Ｐｍｉｎ、Ｂ及びＮｐから以下の式（２）に基づいて、目標加圧速度（Ｖｒｅｆｎｅｘｔ）を求める（Ｓ４１）。
Ｖｒｅｆｎｅｘｔ  ＝  （Ｐｍａｘ−Ｐｍｉｎ）・Ｂ／（６０・Ｎｐ）    （２）
上記の式（２）によって求められたＶｒｅｆｎｅｘｔは、今回測定した圧力データと同様な圧力データが次回も得られた場合に、血圧測定に必要な数の脈波が、最も効率的（最も短時間で）取得できるような加圧速度を示したものである。
【００５４】
次に、目標加圧速度決定手段４２は、ステップＳ４１で決定したＶｒｅｆｎｅｘｔが、予め定められている目標加圧速度の上限値（Ｖｒｅｆｍａｘ）より大きいか否かの判断を行い（Ｓ４２）、大きい場合には、ＶｒｅｆｎｅｘｔにＶｒｅｆｍａｘを設定する（Ｓ４３）。
【００５５】
ステップＳ４２において、Ｖｒｅｆｎｅｘｔが、Ｖｒｅｆｍａｘ以下の場合には、次に、目標加圧速度決定手段４２は、ステップＳ４１で決定したＶｒｅｆｎｅｘｔが、予め定められている目標加圧速度の下限値（Ｖｒｅｆｍｉｎ）未満か否かの判断を行い（Ｓ４４）、未満の場合には、ＶｒｅｆｎｅｘｔにＶｒｅｆｍｉｎを設定する（Ｓ４５）。
【００５６】
最後に、目標加圧速度決定手段４２は、Ｖｒｅｆｎｅｘｔを目標加圧速度記憶手段４３に記憶して（Ｓ４６）、一連の処理を終了する。即ち、図７に示す処理フローでは、目標加圧速度決定手段４２は、必ず、予め定められた上限値及び下限値の範囲内で、Ｖｒｅｆｎｅｘｔを設定し、記憶することとなる。
【００５７】
ステップＳ４６で記憶されたＶｒｅｆｎｅｘｔは、図４に示すフローのＳ１０においてＶｒｅｆに設定され、その値に基づいて、加圧制御手段３２が加圧手段２４を制御して、カフ５０内の圧力を制御することとなる。加圧手段２４は、例えば、カフ５０内へ空気を送り込むモータ式のポンプの駆動電圧を制御して、加圧速度を調整している。
【００５８】
図８は、目標加圧速度設定手段４０が目標加圧速度を設定するフローの他の例を示す図である。図８に示すフローは、図７に示したフローの代わりに、図４に示すフローのステップＳ２１における処理として利用することができる。
【００５９】
最初に、検出データ記憶手段４１が、脈波検出手段３１より、最後に検出した脈波の脈波開始圧力Ｐｍａｘ（図５に示す加圧曲線６０ではＰ８に対応した圧力）、最初に検出した脈波の脈波開始圧力Ｐｍｉｎ（図５に示す加圧曲線６０ではＰ１に対応した圧力）を取得して記憶する。また、目標加圧速度決定手段４２が、脈拍数算出手段３５より、図６のフローに基づいて求めた脈拍数Ｂを取得する（Ｓ５０）。
【００６０】
次に、目標加圧速度決定手段４２は、ステップＳ５０で取得した、Ｐｍａｘ、Ｐｍｉｎ、Ｂ及びＮｐから以下の式（２）に基づいて、目標加圧速度（Ｖｒｅｆｎｅｘｔ）を求める（Ｓ５１）。
Ｖｒｅｆｎｅｘｔ  ＝  （Ｐｍａｘ−Ｐｍｉｎ）・Ｂ／（６０・Ｎｐ）    （２）
上記の式（２）によって求められたＶｒｅｆｎｅｘｔは、今回測定した圧力データと同様な圧力データが次回も得られた場合に、血圧測定に必要な数の脈波が、最も効率的（最も短時間で）に取得できるような加圧速度を示したものである。
【００６１】
次に、目標加圧速度決定手段４２は、ステップＳ５１で求めたＶｒｅｆｎｅｘｔが、今回の測定で利用した目標加圧速度（Ｖｒｅｆ）に閾値αを加算した値より大きいか否かの判断を行う（Ｓ５２）。大きい場合には、Ｖｒｅｆｎｅｘｔを、Ｖｒｅｆ＋αで置き換え（Ｓ５３）、大きくない場合には、そのままのＶｒｅｆｎｅｘｔを利用する。
【００６２】
ステップＳ５１で決定した次回に利用するための目標加圧速度（Ｖｒｅｆｎｅｘｔ）が、今回利用した目標加圧速度（Ｖｒｅｆ）よりも著しく大きい場合には、決定した値を利用せずに、予め定めた閾値αだけ大きい値を利用しようとするものである。即ち、一度に、余り大きく変化させずに、一回の変動分を閾値αに制限している。
【００６３】
次に、目標加圧速度決定手段４２は、ステップＳ５１又はＳ５２で求めたＶｒｅｆｎｅｘｔが、予め定められている、目標加圧速度の上限値（Ｖｒｅｆｍａｘ）より大きいか否かの判断を行い（Ｓ５４）、大きい場合には、ＶｒｅｆｎｅｘｔにＶｒｅｆｍａｘを設定する（Ｓ５５）。
【００６４】
ステップＳ５４において、Ｖｒｅｆｎｅｘｔが、Ｖｒｅｆｍａｘ以下の場合には、次に、目標加圧速度決定手段４２は、ステップＳ５１又は５３で求めたＶｒｅｆｎｅｘｔが、予め定められている目標加圧速度の下限値（Ｖｒｅｆｍｉｎ）未満か否かの判断を行い（Ｓ５６）、未満の場合には、ＶｒｅｆｎｅｘｔにＶｒｅｆｍｉｎを設定する（Ｓ５７）。
【００６５】
最後に、目標加圧速度決定手段４２は、Ｖｒｅｆｎｅｘｔを目標加圧速度記憶手段４３に記憶して（Ｓ５８）、一連の処理を終了する。即ち、図８に示す処理フローでは、目標加圧速度決定手段４２は、必ず、予め定められた上限値及び下限値の範囲内で、且つ今回利用したＶｒｅｆから閾値α以上大きくならない範囲内で、Ｖｒｅｆｎｅｘｔを設定し、記憶することとなる。
【００６６】
ステップＳ５８で記憶されたＶｒｅｆｎｅｘｔは、図４に示すフローのＳ１０においてＶｒｅｆに設定され、その値に基づいて、加圧制御手段３２が加圧手段２４を制御して、カフ５０内の圧力を制御することとなる。加圧手段２４は、例えば、カフ５０内へ空気を送り込むモータ式のポンプの駆動電圧を制御して、加圧速度を調整している。
【符号の説明】
【００６７】
１０    電子血圧計
２０    血圧計本体
２１    表示手段
２２    操作手段
２３    圧力検出手段
２４    加圧手段
２５    急速排気手段
３０    制御部
３１    脈波検出手段
３５    脈拍数算出手段
３６    血圧値決定手段
４０    目標加圧速度設定手段
５０    カフ
【図１】
2013202176.tif 000003
【図２】
2013202176.tif 000004
【図３】
2013202176.tif 000005
【図４】
2013202176.tif 000006
【図５】
2013202176.tif 000007
【図６】
2013202176.tif 000008
【図７】
2013202176.tif 000009
【図８】
2013202176.tif 000010